(57)【要約】【課題】発電効率を高め、製造コストを低下させられる発電及び熱絶縁機能を備える複層ガラスを提供する。【解決手段】発電及び熱絶縁機能を備える複層ガラスは、光透過可能なソーラーパネル2及び熱絶縁ガラス3からなり、熱絶縁ガラス3上には熱反射層32を形成し、熱絶縁ガラス3とソーラーパネル2の背面との間には、枠フレーム41を挟んで設置し、隔離空間4を形成し、こうしてこの光透過可能なソーラーパネル2及び熱絶縁ガラス3の組合せにより、室内の人員は外を透視可能で、光透過可能なソーラーパネル2はソーラーエネルギーを吸収して発電し、熱絶縁ガラス3上の熱反射層32はソーラーパネル2背面に発散する熱エネルギーを隔離し、外来光線の熱放射を反射してソーラーパネル2に戻し、発電効率を高める。【選択図】図１
0003164180.tif 000002
【実用新案登録請求の範囲】
【請求項１】
発電及び熱絶縁機能を備える複層ガラスであって、一部光透過可能なソーラーパネル、及び熱反射層を形成した熱絶縁ガラスからなり、
ソーラーパネルの背面側と熱絶縁ガラスとを相対して枠フレームにより熱隔離空間を隔てて固定し
ソーラーパネルの光発電に伴ってその背面から放射される熱放射を反射するようにしたことを特徴とする発電及び熱絶縁機能を備える複層ガラス。
【請求項２】
前記ソーラーパネルは、非結晶シリコン薄膜式ソーラーパネルであって、
該２枚のガラス板の間に非結晶シリコン薄膜式ソーラーパネルを挟んで形成したことを特徴とする請求項１に記載の発電及び熱絶縁機能を備える複層ガラス。
【請求項３】
前記ソーラーパネルは、２枚のガラス板及び複数の結晶シリコンソーラーパネルからなり、該各結晶シリコンソーラーパネルは、該２枚のガラス板の間に挟んで設置し、かつ該各結晶シリコンソーラーパネルの間には光を透過する間隔を備えた、ことを特徴とする請求項１に記載の発電及び熱絶縁機能を備える複層ガラス。
【請求項４】
前記熱反射層は、低放射ガラス（Low-emissivity
glass）であることを特徴とする請求項１或いは２に記載の発電及び熱絶縁機能を備える複層ガラス。
【請求項５】
前記ソーラーパネルの背面側に対してガラス板を介して前記熱反射層を接着接合したガラス板を配置することにより、熱隔離空間を隔てて固定したことを特徴とする請求項１或いは２に記載の発電及び熱絶縁機能を備える複層ガラス。
【考案の詳細な説明】
【技術分野】
【０００１】
本考案は複層ガラスに関し、特に発電及び熱絶縁機能を備える複層ガラスに関する。
【背景技術】
【０００２】
現在大型建築物にしばしば使用されているウインドウガラス或いは採光ガラスは、単層のガラス或いはアクリルにより構成される。
しかしそれらは、陽光中の紫外線を効果的に遮蔽し、熱の室内への直接放射を防ぐことができないため、日照が強烈な時には室内温度の上昇を招き易い。
ガラス表面に熱絶縁材料を塗布し、或いは熱絶縁フィルムを接着することはできるが、その効果は理想的とはいえない。
一方、近年、地球化石エネルギーが枯渇の危機に直面するにつき、石油エネルギー消耗の速度を遅めようと、風力、水力、地熱或いはソーラーエネルギー等の天然資源を利用して電力を発生させる方法の開発に、各国は積極的に注力している。
そのため、光電ガラスにより、上記したウィンドウガラス或いは採光ガラスに置換し、ガラスの透視特性を確保しながら、ソーラーエネルギー発電の効果達成を試みる事業者が現れている。
【０００３】
しかし、光電ガラスがソーラーエネルギーを吸収して発電を行う時、光電ガラスの背面には高温が発生し、これにより室内の温度は上昇して、室内の冷房空調に支出する費用は拡大する。
よって本考案は、上記したさまざまな欠点に鑑み、複層ガラスに透視可能なガラス特性を持たせながら、発電の機能も持たせ、しかも室内への熱の発散を効果的に阻害できる発電及び熱絶縁機能を備える複層ガラスを開発する。
【先行技術文献】
【特許文献】
【０００４】
【特許文献１】特開平２−２８６４２６号公報
【特許文献２】特開２００７−８８２８０号公報
【考案の概要】
【考案が解決しようとする課題】
【０００５】
本考案が解決しようとする第一の課題は、光透過可能なソーラーパネルにより発電を行い、さらに熱絶縁ガラスによりソーラーパネルの背面を熱絶縁し、これにより発電及び熱絶縁機能を達成する発電及び熱絶縁機能を備える複層ガラスを提供することである。
本考案が解決しようとする第二の課題は、熱絶縁ガラス上の熱反射層により、太陽光線を反射し、これにより熱放射はソーラーパネルに対してもう一度発電を行い、発電効率を高めることができる発電及び熱絶縁機能を備える複層ガラスを提供することである。
本考案が解決しようとする第三の課題は、２枚のガラス板の間に、間隔を備える複数の結晶シリコンソーラーパネルの構造を挟んで設置することで、複層ガラスは高い光透過能力を備え、発電効率を高め、しかも製造コストを低下させられる発電及び熱絶縁機能を備える複層ガラスを提供することである。
【課題を解決するための手段】
【０００６】
上記課題を解決するため、本考案は下記の発電及び熱絶縁機能を備える複層ガラスを提供する。
発電及び熱絶縁機能を備える複層ガラスは、光透過可能なソーラーパネル及び熱絶縁ガラスからなり、
該光透過可能なソーラーパネルは、ソーラーエネルギーを吸収して発電でき、該ソーラーパネルは、正面及び該正面に相対する背面を備え、
該熱絶縁ガラスと該ソーラーパネルの背面との間には、枠フレームを挟んで設置し、隔離空間を形成し、しかも該熱絶縁ガラス上には熱反射層を形成し、外界からの熱放射及びソーラーパネル背面から熱エネルギーを反射して隔離し、
実施時には、該ソーラーパネルは、２枚のガラス板及び非結晶シリコン薄膜式(Thin Film)ソーラーパネルからなり、しかも該非結晶シリコン薄膜式ソーラーパネルは、該２枚のガラス板の間に挟んで設置し、
実施時には、該ソーラーパネルは、２枚のガラス板及び複数の結晶シリコンソーラーパネルからなり、該各結晶シリコンソーラーパネルは、該２枚のガラス板の間に挟んで設置し、しかも該各結晶シリコンソーラーパネルの間には間隔を備え、これにより光線は間隔から透過し、
実施時には、該熱反射層は、低放射ガラス（Low-emissivity glass）で、
実施時には、該熱反射層上には、ガラス板を接着して接合し、しかも該熱反射層は、熱絶縁薄膜で、
実施時には、該熱絶縁ガラスと該ソーラーパネルの背面との間には、枠フレームを挟んで設置し、接着結合させ、隔離空間を形成する。
【考案の効果】
【０００７】
本考案の発電及び熱絶縁機能を備える複層ガラスは、透視及び発電の機能を備え、しかもソーラーパネルの発電で発生する熱放射を、隔離空間内に効果的に絶縁することができ、よって室内温度を効果的に低下させられ、室内で使用する冷房空調の支出を節約することができる。
さらに本考案は、ソーラーパネル発電時に発散する熱エネルギーを、隔離空間内に絶縁し、しかもソーラーパネルに対してもう一度発電させられるため、ソーラーパネルの発電効率を向上させることができる。
また本考案は、複数の結晶シリコンソーラーパネルを２枚のガラス板の間に設置するが、結晶シリコンソーラーパネルは、高発電力量及び低製造コストの特性を備えるため、発電効率を高めることができ、しかも製造コストを低下させられる。
加えて本考案は、室内及び屋外に対して極めて高い隔離性を備えるため、ガラスは結露しなくなり、良好な視野を保てる他、冬季には極めて良好な保温効果を備えるため、冬季の暖房空調費用を低下させることができる。
【図面の簡単な説明】
【０００８】
【図１】本考案の第一実施例の部品分解図である。
【図２】本考案の第一実施例の組合せ断面図である。
【図３】本考案の第一実施例の使用状態図である。
【図４】本考案の第二実施例一部の部品の分解図である。
【図５】本考案の第三実施例一部の部品の分解図である。
【考案を実施するための形態】
【０００９】
以下に図面を参照しながら本考案を実施するための最良の形態について詳細に説明する。
【実施例】
【００１０】
図１、２に示すように、本考案発電及び熱絶縁機能を備える複層ガラス1の第一実施例は、光透過可能なソーラーパネル2及び熱絶縁ガラス3からなる。
【００１１】
該ソーラーパネル2は、ソーラーエネルギーを吸収して発電でき、第一ガラス板21、第二ガラス板22及び複数の結晶シリコンソーラーパネル23からなる。
【００１２】
該各結晶シリコンソーラーパネル23は、第一ガラス板21と第二ガラス板22の間に挟んで設置し、該各結晶シリコンソーラーパネル23は、碁盤の目状に配列し、これにより該各結晶シリコンソーラーパネル23の間には間隔24を備える。
【００１３】
該各結晶シリコンソーラーパネル23は、必要な図案に応じて、配列して組合せることができる。
【００１４】
実施時には、第一ガラス板21上に、光触媒層を塗布し、これによりガラスはクリーンな状態を保ち易くなり、ソーラーエネルギー発電の安定性を確保することができる。
【００１５】
該熱絶縁ガラス3と該ソーラーパネル2の背面25との間には、枠フレーム41を挟んで設置し、接着材料により、熱絶縁ガラス3、ソーラーパネル2と枠フレーム41を接着結合させた後、これにより該枠フレーム41の内部には隔離空間4を形成する。
【００１６】
該熱絶縁ガラス3、該ソーラーパネル2と該枠フレーム41は、螺接方式により結合することもできる。
【００１７】
該熱絶縁ガラス3と該ソーラーパネル2の背面25との間は、接着テープ或いはシリコンゴム類の接着材料により直接取り囲み、枠フレーム41を形成することもでき、これによっても同様に隔離空間4を形成することができる。
【００１８】
実施時には、該熱絶縁ガラス3は、第三ガラス板31及び低放射ガラス（Low-emissivity glass)からなり、該低放射ガラスを熱反射層32とする。
【００１９】
該熱反射層32は、第三ガラス板31の正面に形成する。
【００２０】
これにより、図３に示すように、太陽光線が第一ガラス板21の正面から入射すると、光線の一部は、該各結晶シリコンソーラーパネル23の間の間隔24を経由して、該第二ガラス板22を通過し、さらに該熱絶縁ガラス3を通過し、こうして室内の人員は外を見ることができる。
【００２１】
大部分の太陽光線は、光が透過しない各結晶シリコンソーラーパネル23に照射し、これにより該各結晶シリコンソーラーパネル23は、電気エネルギーを発生させ、コードで外部につながり、該電気エネルギーを外へと出力する。
【００２２】
該各結晶シリコンソーラーパネル23が電気エネルギーを発生させる時、それが発生する熱エネルギーは、熱反射層32の反射を経て、該隔離空間4内に隔離される。
【００２３】
本考案発電及び熱絶縁機能を備える複層ガラス1の第二実施例である図４に示すように、本第二実施例と第一実施例との相違点について、以下に説明する。
【００２４】
該ソーラーパネル2は、第一ガラス板21、第二ガラス板22及び非結晶シリコン薄膜式ソーラーパネル27からなり、該非結晶シリコン薄膜式ソーラーパネル27は、第一ガラス板21と第二ガラス板22の間に挟んで設置する。
【００２５】
該非結晶シリコン薄膜式ソーラーパネル27は、部分光透過の特性を備えるため、透視と発電の効果を同時に達成することができる。
【００２６】
太陽光線は、該非結晶シリコン薄膜式ソーラーパネル27を透過後、熱反射層32により反射され、該非結晶シリコン薄膜式ソーラーパネル27は再度発電を行い、発電効率を高めることができる。
【００２７】
本考案発電及び熱絶縁機能を備える複層ガラス1の第三実施例である図５に示すように、該熱絶縁ガラス3は、第三ガラス板31、熱反射層32及び第四ガラス板33からなる。
【００２８】
該熱反射層32は、第三ガラス板31の正面に形成し、該第四ガラス板33は、熱反射層32上に接着結合させる。
【００２９】
これにより、該熱反射層32は、第三ガラス板31と第四ガラス板33との間に挟んで設置される。
【００３０】
該熱反射層32は、熱絶縁薄膜であるため、該ソーラーパネル2背面からの熱放射を効果的に反射し、隔離することができる。
【００３１】
上記のように、本考案は以下の長所を備える。
1.    本考案は透視及び発電の機能を備え、しかもソーラーパネルの発電で発生する熱放射を、隔離空間内に効果的に絶縁することができ、よって室内温度を効果的に低下させられ、室内で使用する冷房空調の支出を節約することができる。
2.    本考案は、ソーラーパネル発電時に発散する熱エネルギーを、隔離空間内に絶縁し、しかもソーラーパネルに対してもう一度発電させられるため、ソーラーパネルの発電効率を向上させることができる。
3.    本考案は、複数の結晶シリコンソーラーパネルを２枚のガラス板の間に設置するが、結晶シリコンソーラーパネルは、高発電力量及び低製造コストの特性を備えるため、発電効率を高めることができ、しかも製造コストを低下させられる。
4.    本考案は、室内及び屋外に対して極めて高い隔離性を備えるため、ガラスは結露しなくなり、良好な視野を保てる他、冬季には極めて良好な保温効果を備えるため、冬季の暖房空調費用を低下させることができる。
【００３２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３３】
本考案は透視でき、発電効率を高め、熱気の室内への発散を効果的に絶縁でき、しかも生産コストを低下させられる発電及び熱絶縁機能を備える複層ガラスを提供し、実用新案の要件である新規性を備え、従来の同類製品に比べ十分な進歩を有し、実用性が高く、社会のニーズに合致しており、産業上の利用価値は非常に大きい。
【符号の説明】
【００３４】
1  発電及び熱絶縁機能を備える複層ガラス
2  ソーラーパネル
21  第一ガラス板
22  第二ガラス板
23  結晶シリコンソーラーパネル
24  間隔
25  背面
26  正面
27  非結晶シリコン薄膜式ソーラーパネル
3  熱絶縁ガラス
31  第三ガラス板
32  熱反射層
33  第四ガラス板
4  隔離空間
41  枠フレーム
【図１】
0003164180.tif 000003
【図２】
0003164180.tif 000004
【図３】
0003164180.tif 000005
【図４】
0003164180.tif 000006
【図５】
0003164180.tif 000007